【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
撮影対象付近に設けられる所定の識別情報と、
入射光をデジタルデータに変換して画像データを取得するデジタルカメラと、から構成される撮影システムであって、
前記デジタルカメラは、
取得した画像データから前記所定の識別情報を検出する識別情報検出手段と、
前記識別情報検出手段が検出した識別情報を認識する識別情報認識手段と、
前記識別情報検出手段による前記識別情報の検出有無、および、前記識別情報認識手段による認識結果に基づいて、前記画像データの保存許否を判定する判定手段と、
前記判定手段の判定結果に基づいて、前記画像データを保存する保存制御手段と、
を備えることを特徴とする撮影システム。
【請求項２】
前記識別情報認識手段による認識結果に基づいて、前記保存制御手段によって保存される画像データに所定の画像処理を適用する画像処理手段をさらに備える、
ことを特徴とする請求項１に記載の撮影システム。
【請求項３】
入射光をデジタルデータに変換して画像データを取得するデジタルカメラであって、
取得した画像データに所定の識別情報が示されているか否かを検出する識別情報検出手段と、
前記識別情報検出手段が前記所定の識別情報を検出した場合、当該識別情報を認識する識別情報認識手段と、
前記識別情報検出手段による前記識別情報の検出有無、および、前記識別情報認識手段による認識結果に基づいて、前記画像データが保存対象であるか否かを判定する保存許否判定手段と、
前記保存許否判定手段の判定結果に基づいて、前記画像データを保存する保存制御手段と、
を備えることを特徴とするデジタルカメラ。
【請求項４】
前記保存許否判定手段は、前記識別情報検出手段が所定の識別情報を検出しなかった場合、当該画像データは保存対象ではないと判定し、
前記保存制御手段は、前記保存許否判定手段が保存対象ではないと判定した画像データを削除する、
ことを特徴とする請求項３に記載のデジタルカメラ。
【請求項５】
前記保存許否判定手段は、前記識別情報認識手段が検出された識別情報を認識した場合、当該画像データは保存対象ではないと判定する、
ことを特徴とする請求項３または４に記載のデジタルカメラ。
【請求項６】
前記保存許否判定手段は、前記識別情報認識手段による前記識別情報の認識成否に応じて、当該画像データの保存許否を判定するとともに、保存する画像データに適用する所定の画像処理を決定する、
ことを特徴とする請求項３乃至５のいずれか１項に記載のデジタルカメラ。
【請求項７】
前記保存許否判定手段による判定結果に応じて、前記画像データに所定の画像処理を適用する画像処理手段をさらに備える、
ことを特徴とする請求項３乃至６のいずれか１項に記載のデジタルカメラ。
【請求項８】
前記所定の識別情報と、画像データの保存条件とを対応付けて記憶する条件記憶手段をさらに備え、
前記保存許否判定手段は、前記識別情報認識手段による認識結果と前記条件記憶手段に記憶された保存条件とに基づいて、前記画像データの保存許否および適用する画像処理を決定する、
ことを特徴とする請求項３乃至７のいずれか１項に記載のデジタルカメラ。
【請求項９】
前記条件記憶手段は、前記所定の識別情報のサイズに応じて、該識別情報と画像データの保存条件とを対応付けて記憶する、
ことを特徴とする請求項８に記載のデジタルカメラ。
【請求項１０】
前記識別情報は、所定のコードが不可視的に設定された画像から構成され、
前記識別情報認識手段は、検出された識別情報をデコードすることで、当該識別情報を認識する、
ことを特徴とする請求項３乃至９のいずれか１項に記載のデジタルカメラ。
【請求項１１】
所定のパスワードを設定するパスワード設定手段をさらに備え、
前記保存許否判定手段は、前記識別情報認識手段による認識結果と、前記パスワード設定手段が設定したパスワードとに基づいて、前記画像データの保存許否を判定する、
ことを特徴とする請求項３乃至１０のいずれか１項に記載のデジタルカメラ。
【請求項１２】
入射光をデジタルデータに変換して画像データを取得するデジタルカメラを制御するコンピュータに、
所定の識別情報と取得される画像データの保存条件とを予め対応付けて記憶するステップと、
取得した画像データから所定の識別情報を検出するステップと、
検出された識別情報を認識するステップと、
検出された識別情報の認識結果、および、記憶されている保存条件に基づいて、前記画像データの保存許否を判定するステップと、
保存許否の判定結果に基づいて、前記画像データを保存するステップと、
を実行させることを特徴とするプログラム。
【手続補正２】
【補正対象書類名】明細書
【補正対象項目名】０００６
【補正方法】変更
【補正の内容】
【０００６】
上記目的を達成するため、本発明の第１の観点に係る撮影システムは、
撮影対象付近に設けられる所定の識別情報と、
入射光をデジタルデータに変換して画像データを取得するデジタルカメラと、から構成される撮影システムであって、
前記デジタルカメラは、
取得した画像データから前記所定の識別情報を検出する識別情報検出手段と、
前記識別情報検出手段が検出した識別情報を認識する識別情報認識手段と、
前記識別情報検出手段による前記識別情報の検出有無、および、前記識別情報認識手段による認識結果に基づいて、前記画像データの保存許否を判定する判定手段と、
前記判定手段の判定結果に基づいて、前記画像データを保存する保存制御手段と、
を備えることを特徴とする。
上記撮影システムにおいて、前記デジタルカメラは、前記識別情報認識手段による認識結果に基づいて、前記保存制御手段によって保存される画像データに所定の画像処理を適用する画像処理手段をさらに備えていることが望ましい。
【手続補正３】
【補正対象書類名】明細書
【補正対象項目名】０００７
【補正方法】変更
【補正の内容】
【０００７】
上記目的を達成するため、本発明の第２の観点に係るデジタルカメラは、
入射光をデジタルデータに変換して画像データを取得するデジタルカメラであって、
取得した画像データに所定の識別情報が示されているか否かを検出する識別情報検出手段と、
前記識別情報検出手段が前記所定の識別情報を検出した場合、当該識別情報を認識する識別情報認識手段と、
前記識別情報検出手段による前記識別情報の検出有無、および、前記識別情報認識手段による認識結果に基づいて、前記画像データが保存対象であるか否かを判定する保存許否判定手段と、
前記保存許否判定手段の判定結果に基づいて、前記画像データを保存する保存制御手段と、
を備えることを特徴とする。
【手続補正４】
【補正対象書類名】明細書
【補正対象項目名】００１６
【補正方法】変更
【補正の内容】
【００１６】
上記目的を達成するため、本発明の第３の観点にかかるプログラムは、
入射光をデジタルデータに変換して画像データを取得するデジタルカメラを制御するコンピュータに、
所定の識別情報と取得される画像データの保存条件とを予め対応付けて記憶するステップと、
取得した画像データから所定の識別情報を検出するステップと、
検出された識別情報を認識するステップと、
検出された識別情報の認識結果、および、記憶されている保存条件に基づいて、前記画像データの保存許否を判定するステップと、
保存許否の判定結果に基づいて、前記画像データを保存するステップと、
を実行させることを特徴とする。
【手続補正５】
【補正対象書類名】明細書
【補正対象項目名】００１７
【補正方法】変更
【補正の内容】
【００１７】
本発明によれば、対象付近に配置された識別情報を撮影画像から検出し、検出の有無や識別情報の認識結果に基づいて撮影画像の保存許否を制御するので、詳細かつ柔軟な撮影制限を容易に実施することができる。